(57)【特許請求の範囲】
【請求項１】
内部に収容空間が形成され、人体の皮膚に電流を流すための端子の端子露出孔が形成されるマスク；及び
前記マスクの収容空間に収容され、互いに異なる極性の二つの端子を前記端子露出孔を通じて外部に露出させ、回転軸及び前記回転軸を外側で取り囲むコイルを備えた駆動部を含み、前記駆動部の慣性回転による前記コイルの誘導起電力を用いて前記二つの端子間の電位差を大きくする少なくとも一つの電動モジュールを備えることを特徴とする、顔面マッサージ器。
【請求項２】
前記マスクは周縁部が互いに固定されて内側に前記収容空間をなす第１マスク及び第２マスクからなり、前記第１マスクと第２マスクの少なくとも一方に前記電動モジュールの挿入及び引出のための切開された挿入口が一つ以上形成されることを特徴とする、請求項１に記載の顔面マッサージ器。
【請求項３】
前記電動モジュールは、
振動子の駆動のための互いに異なる極性の電源端子が一面にそれぞれ形成され、前記電源端子が人体の皮膚を導電体として相互に接続するベース部；
前記ベース部の少なくとも一面に設置される前記振動子；
前記振動子に動力を提供するための前記回転軸及び前記回転軸を内側に位置させる前記コイルを備えた状態で前記ベース部に設置される前記駆動部；
前記駆動部の電源入力端に設置され、前記駆動部の電源をオン／オフする駆動スイッチ；
前記駆動スイッチのオン／オフを制御して前記駆動部の動作状態及び前記駆動部の動作による前記振動子の振動状態を制御する制御部；及び
前記駆動スイッチと駆動部との間に入力端が並列で接続され、前記駆動スイッチのオフ動作による前記駆動部の空回転の際、前記回転軸周辺のコイルから発生する電気エネルギーを前記駆動部の出力端に流す誘導起電力処理部を含むことを特徴とする、請求項１に記載の顔面マッサージ器。
【請求項４】
前記制御部は、前記駆動スイッチをパルス幅変調（ＰＷＭ：Ｐｕｌｓｅ Ｗｉｄｔｈ Ｍｏｄｕｌａｔｉｏｎ）方式で前もって設定された時間間隔でオン／オフ制御することを特徴とする、請求項３に記載の皮膚刺激用電動モジュール。
【請求項５】
前記マスクが人体の頭部に着用されるための着用部をさらに含むことを特徴とする、請求項１に記載の皮膚刺激用電動モジュール。
【発明の詳細な説明】
【技術分野】
【０００１】
本発明は顔面マッサージ器に係り、特に別途の昇圧回路なしに互いに異なる極性の電源端子の間に比較的高い電位差を形成し、人体の皮膚に多量の電流を流してイオン泳動法（イオントフォレシス、ｉｏｎｔｏｐｈｏｒｅｓｉｓ）の機能を大幅に向上させることができ、しかも外部電源なしにもマスクの電動モジュールを個別に動作させて顔面の全部にあるいは局部に刺激を加えることができる顔面マッサージ器に関するものである。
【背景技術】
【０００２】
一般に、皮膚の弾力向上及び老化防止のために各種の化粧品やマッサージ用クリームなどの機能性化粧品が使われており、このような機能性化粧品を使って皮膚を管理する専門マッサージ点なども繁盛している。
【０００３】
また、顔面皮膚に刺激を与えるマッサージ器（以下、顔面マッサージ器という）も提供されている。このような顔面マッサージ器は通常顔面状のマスクに振動モーターを付着して顔面の経絡に振動を与え、これにより血液循環を円滑にするとともに皮膚老化などを予防する。
【０００４】
図１は従来の顔面マッサージ器を示した図である。同図に示したように、従来の顔面マッサージ器はガルバニックイオン電流発生部１０、ガルバニックイオン電流発生部１０に備えられる作業電極１１及びこのような作業電極１１に並列で連結される作業電極用締結手段２０、顔面の所定部位に付着される反対電極１２及びこのような反対電極１２に並列で連結される反対電極用顔接触部３０、及び湿式マトリックス皮膚用パック４０を含んでなる。
【０００５】
しかし、前記のような従来の顔面マッサージ器は、湿式マトリックス皮膚用パックとガルバニックイオン電流発生部が作業電極用締結手段によって電気的に接続された後、ガルバニックイオン電流発生部のガルバニックイオン電流が湿式マトリックス皮膚用パックに印加される形態であるので、従来の顔面マッサージ器は作業電極用締結手段を一緒に揃えた状態でだけ動作可能であるとともに湿式マトリックス皮膚用パックとガルバニックイオン電流発生部を一緒に備えている場合にだけ使用者はイオン電流によるマッサージ機能を受けることができる。
【０００６】
また、イオン泳動法（ｉｏｎｔｏｐｈｏｒｅｓｉｓ）は人体の皮膚に電位差を与えて皮膚の電気的環境を変化させてイオン性薬物の皮膚透過を増加させる方法で、このようなイオン泳動法の効果は最大電流の形成が重要なかなめである。すなわち、人体の皮膚抵抗は数十キロオーム（ＫΩ）ないし数十メガオーム（ＭΩ）とかなり高くて、これにより皮膚に十分な電流を流入させるためには比較的高い入力電圧が要求される。このような理由のため、従来のイオン泳動法を用いる顔面マッサージ器は通常イオン電流発生部に昇圧回路を含み、これによりイオン電流発生部の構造が複雑となるとともに顔面マッサージ器の全体サイズの拡大につながり、その保管及び携帯に不便さが伴う。
【０００７】
また、従来の顔面マッサージ器は、ガルバニックイオン電流発生部のイオン電流が湿式マトリックス皮膚用パックに全体的に供給されるものなので、使用者が必要によって顔面の特定部位のみに対してはイオン泳動法の刺激機能を受けようとするとか、反対に特定部位のみに対してイオン泳動法の刺激機能を受けないようとしても、それが不可能であった。例えば、使用者が顔面に怪我をした部位があるから、当該部位を除いた他の顔面部位にだけ刺激機能を受けようとしてもそれが不可能である。これにより、使用者は顔面マッサージ器の使用をあきらめるとか、怪我をした部位の痛みを甘受して顔面マッサージ機能を受けなければならない。
【発明の概要】
【発明が解決しようとする課題】
【０００８】
したがって、本発明は前記のような問題点を解決するためになされたもので、別途の昇圧回路なしに駆動部の慣性回転による誘導起電力を用いて互いに異なる極性の電源端子の間に比較的高い電位差を形成する複数の電動モジュールを含み、人体の皮膚に多量の電流を流してイオン泳動法の効果を極大化することができる顔面マッサージ器を提供することに目的がある。
【０００９】
また、本発明は、外部電源なしにもマスクそのものの構造だけで動作して、イオン泳動法を伴う皮膚刺激及びマッサージ機能を提供することができる顔面マッサージ器を提供することに目的がある。
【００１０】
また、本発明は、顔面の特定部分に対してだけイオン泳動法を伴う皮膚刺激及びマッサージ機能を提供するとか、これと反対に顔面の特定部分を除いた残りの部分に対してだけイオン泳動法を伴う皮膚刺激及びマッサージ器の機能を提供することができ、これに加えて使用者がイオン泳動法を伴う皮膚刺激及びマッサージ部位を選択することができる顔面マッサージ器を提供することに目的がある。
【課題を解決するための手段】
【００１１】
前記のような目的を達成するためで本発明による顔面マッサージ器は、内部に収容空間が形成され、人体の皮膚に電流を流すための端子の端子露出孔が形成されるマスク；及び前記マスクの収容空間に収容され、互いに異なる極性の二つの端子を前記端子露出孔を通じて外部に露出させ、回転軸及び前記回転軸を外側で取り囲むコイルを備えた駆動部を含み、前記駆動部の慣性回転による前記コイルの誘導起電力を用いて前記二つの端子間の電位差を大きくする少なくとも一つの電動モジュールを備えてなる。
【００１２】
また、前記マスクは周縁部が互いに固定されて内側に前記収容空間をなす第１マスク及び第２マスクからなり、前記第１マスクと第２マスクの少なくとも一方に前記電動モジュールの挿入及び引出のための切開された挿入口が一つ以上形成されることを特徴とする。
【００１３】
また、前記電動モジュールは、振動子の駆動のための互いに異なる極性の電源端子が一面にそれぞれ形成され、前記電源端子が人体の皮膚を導電体として相互に接続するベース部；前記ベース部の少なくとも一面に設置される前記振動子；前記振動子に動力を提供するための前記回転軸及び前記回転軸を内側に位置させる前記コイルを備えた状態で前記ベース部に設置される前記駆動部；前記駆動部の電源入力端に設置され、前記駆動部の電源をオン／オフする駆動スイッチ；前記駆動スイッチのオン／オフを制御して前記駆動部の動作状態及び前記駆動部の動作による前記振動子の振動状態を制御する制御部；及び前記駆動スイッチと駆動部との間に入力端が並列で接続され、前記駆動スイッチのオフ動作による前記駆動部の空回転の際、前記回転軸周辺のコイルから発生する電気エネルギーを前記駆動部の出力端に流す誘導起電力処理部を含むことを特徴とする。
【００１４】
また、前記制御部は、前記駆動スイッチをパルス幅変調（ＰＷＭ：Ｐｕｌｓｅ Ｗｉｄｔｈ Ｍｏｄｕｌａｔｉｏｎ）方式で前もって設定された時間間隔でオン／オフ制御することを特徴とする。
【００１５】
また、前記マスクが人体の頭部に着用されるための着用部をさらに含むことを特徴とする。
【発明の効果】
【００１６】
本発明によると、別途の昇圧回路なしに駆動部の慣性回転による誘導起電力を用いて互いに異なる極性の電源端子の間に比較的高い電位差を形成する複数の電動モジュールを顔面マッサージ器に含めることで、人体の皮膚に多量の電流を流してイオン泳動法の効果を極大化するとともに皮膚刺激及びマッサージ機能を提供することができる。
【００１７】
また、自体電源供給によって個別に駆動するマスクの複数の電動モジュールを別途の外部電源なしにも動作させて使用者が皮膚刺激及びマッサージ機能を受けることができるので、使用上の便利性及び携帯の容易性などが向上する効果がある。
【００１８】
また、顔面の特定部分に対してだけイオン泳動法を伴う皮膚刺激及びマッサージ機能を提供するとか、反対に顔面の特定部分を除いた残りの部分に対してだけイオン泳動法を伴う皮膚刺激及びマッサージ機能を提供することができ、使用者が自分の顔面皮膚状態などを考慮してイオン泳動法を伴う皮膚刺激及びマッサージ部位を選択することができる。
【図面の簡単な説明】
【００１９】
【図１】従来の顔面マッサージ器を示した図である。
【図２】本発明の一実施例による顔面マッサージ器を示した斜視図である。
【図３】本発明の一実施例による顔面マッサージ器を示した分解斜視図である。
【図４】図３のＡ−Ａ線についての断面図である。
【図５】本発明の一実施例による顔面マッサージ器の電動モジュールを示した斜視図である。
【図６】本発明の一実施例による皮膚刺激用電動モジュールの背面斜視図である。
【図７】本発明の一実施例による皮膚刺激用電動モジュールの構成を示したブロック図である。
【図８】本発明の一実施例による皮膚刺激用電動モジュールの誘導起電力を処理する回路的構成を概略的に示した図である。
【図９】本発明の一実施例による皮膚刺激用電動モジュールの駆動部の出力電圧変化の推移を示したグラフである。
【図１０】本発明の一実施例による皮膚刺激用電動モジュールの駆動部の出力電圧変化の推移を示したグラフである。
【図１１】本発明の他の実施例による皮膚刺激用電動モジュールの構成を示した斜視図である。
【発明を実施するための形態】
【００２０】
以下、添付図面に基づいて本発明の一実施例による顔面マッサージ器を詳細に説明する。
【００２１】
図２は本発明の一実施例による顔面マッサージ器を示した斜視図、図３は本発明の一実施例による顔面マッサージ器を示した分解斜視図、図４は図３のＡ−Ａ線についての断面図である。
【００２２】
同図に示したように、本発明の一実施例による顔面マッサージ器は、マスクと複数の電動モジュールとを含んでなる。
【００２３】
まず、図２を参照して本発明の一実施例による顔面マッサージ器の概括的な構成及び作用について説明する。
【００２４】
マスク２００は、内部に電動モジュール１００の収容のための収容空間が形成され、このようなマスク２００の収容空間に電動モジュール１００が収容され、その振動及び人体皮膚に対する電流出力によってイオン泳動法（ｉｏｎｔｏｐｈｏｒｅｓｉｓ）を伴う皮膚刺激及びマッサージ機能を提供する。ここで、電動モジュール１００は一つ以上提供されることができる。このような電動モジュール１００は自体電源を備えて個別動作が可能である。これにより、この実施例の顔面マッサージ器は外部電源なしにもマスク２００の電動モジュール１００を動作させてマッサージ機能を提供することができ、顔面の特定部分に対してだけマッサージするとか、反対に顔面の特定部分を除いた残りの部分に対してだけマッサージすることができる。
【００２５】
つぎに、図２〜図４を参照してこの実施例による顔面マッサージ器の具体的な構成について説明する。
【００２６】
図２〜図４を参照すれば、顔面マッサージ器は、第１マスク２１０、第２マスク２２０、及び電動モジュール１００を含んでなる。また、顔面マッサージ器は着用部３００をさらに含んでなることができる。
【００２７】
第１マスク２１０と第２マスク２２０は周縁部を互いに固定して相互間の内側に収容空間を形成する。そして、このような第１マスク２１０と第２マスク２２０の少なくとも一方には電動モジュール１００の挿入及び引出のための切開された挿入口、または電動モジュール１００の絶縁部材１８０を外部に引き出すための切開された挿入口２１０ａが形成される。この実施例においては、第１マスク２１０に絶縁部材１８０の外部への引出のための挿入口２１０ａが形成されたものを例とした。また、第１マスク２１０と第２マスク２２０の少なくとも一方には電動モジュール１００の互いに異なる極性の電源端子１１１、１１２を外部に露出させるための端子露出孔２２０ａが形成される。この実施例においては、第２マスクに端子露出孔２２０ａが形成されるものを例とした。
【００２８】
電動モジュールを図５〜図１１を参照して説明する。図５〜図１１を参照すれば、電動モジュールは、ベース部１１０、振動子１２０、駆動部１３０、駆動スイッチ１４０、制御部１５０、及び誘導起電力処理部１６０を含んでなる。また、電動モジュールはバッテリー１７０をさらに含んでなることができる。
【００２９】
ベース部１１０は、振動子１２０の駆動のための互いに異なる極性の電源端子１１１、１１２が一面にそれぞれ形成される。この際、電源端子１１１、１１２は振動子１２０を駆動させる駆動部１３０に電源を供給し、このような駆動部１３０の駆動によって振動子１２０が振動する。また、電源端子１１１、１１２は人体の皮膚を導電体として相互に接続され、これは人体の皮膚に電位差を与えて皮膚の電気的環境を変化させることで、イオン性薬物の皮膚透過を増加させるイオン泳動法のためのものである。
【００３０】
振動子１２０はベース部１１０の少なくとも一面に設置されるもので、このような振動子１２０は後述する駆動部１３０の作動によって所定パターンの振動を行うようになる。そして、このような振動子１２０の振動はベース部１１０に伝達され、これにより、振動子１２０の振動の際、ベース部１１０の全体が振動をする。
【００３１】
駆動部１３０はベース部１００に設置され、振動子１２０に動力を提供するための回転軸（図示せず）及びこのような回転軸を内側に位置させるコイルとを備える。前記駆動部１３０の代表的な例として直流モーターがある。したがって、以下の説明では駆動部１３０として直流モーターが例として説明されるが、本発明はこれに限定されるものではない。そして、参照符号１３１は駆動部１３０の電源入力端に設置される電源供給処理部を示したものである。
【００３２】
駆動スイッチ１４０は駆動部１３０に対する電源入力端に設置され、そのオン／オフによって駆動部１３０に電源を供給するとか、反対に駆動部１３０に対する電源供給を遮断する。この実施例においてはこのような駆動スイッチ１４０がトランジスタであり、エミッタに駆動部１３０の駆動電源が印加され、ベースに制御部１５０のパルス信号が印加される形態を例とした。しかし、本発明がこれに限定されるものではなく、駆動スイッチ１４０は制御部１５０のパルス信号に応じてオン／オフとなって駆動部１３０に対する電源供給を断続することができる条件を満足する範囲内で多様に変形実施することができる。また、この実施例においては、駆動部１３０に印加される駆動電源が３（Ｖ）であるものを例とした。
【００３３】
制御部１５０は、駆動スイッチ１４０のオン／オフを制御して駆動部１３０の動作状態及び駆動部１３０の動作による振動子１２０の振動状態を制御する。このような制御部１５０は、パルス幅変調（ＰＷＭ：Ｐｕｌｓｅ Ｗｉｄｔｈ Ｍｏｄｕｌａｔｉｏｎ）方式で駆動部１３０の動作を制御する。すなわち、制御部１５０のパルス信号が駆動スイッチ１４０であるトランジスタのベースに印加され、このような制御部１５０のパルス信号に応じてトランジスタは所定の時間間隔でオン／オフを繰り返すようになる。
【００３４】
誘導起電力処理部１６０はその入力端が駆動スイッチ１４０と駆動部１３０との間に並列で接続され、その出力端が駆動部１３０の出力端に並列で接続される。そして、このような誘導起電力処理部１６０は駆動スイッチ１４０のオフ動作による駆動部１３０の空回転の際、駆動部１３０の回転軸の周辺コイルから発生する電気エネルギーを駆動部１３０の出力端に流す。すなわち、駆動部１３０である直流モーターは駆動スイッチ１４０のオン状態で電源が印加されて作動する。この際、制御部１５０のパルス信号に応じて駆動スイッチ１４０がオフ状態に転換されても、直流モーターは回転する慣性によってずっと回転し、この過程で直流モーターのコイルで誘導起電力が発生する。
【００３５】
そして、このように直流モーターのコイルで発生した誘導起電力は駆動部１３０（直流モーター）の出力端に印加され、よって駆動部１３０の出力端に電気的に連結されるベース部１１０の（−）電源誘導起電力が印加されると同時に相対的に多量の電流が流れるようになる。この実施例を基準にさらに説明すれば、駆動部１３０である直流モーターに３（Ｖ）の駆動電源が印加される。すなわち、ベース部１１０の（＋）電源端子の電圧は３（Ｖ）であり、ベース部１１０の（−）電源端子の電圧は直流モーターのコイルから印加される誘導起電力によって１３（Ｖ）となる。
【００３６】
バッテリー１７０は電動モジュール１００に電源を供給する機能をする。
【００３７】
また、この実施例においては、このような誘導起電力処理部１６０が電源ダイオードであるものを例としたが、本発明がこれに限定されるものではなく、誘導起電力処理部１６０は直流モーターのコイルで発生した誘導起電力を直流モーターの出力端に印加する条件を満足する範囲内で多様に変形実施することができる。
【００３８】
そして、この実施例においては、ベース部１１０がプリント基板であり、このようなベース部１１０に駆動部１３０、駆動スイッチ１４０、制御部１５０、及び誘導起電力処理部１６０が実装され、またベース部には実装された構成間の電気的連結のための回路パターンが形成される。ここで、プリント基板はフレキシブルプリント回路基板（ＦＰＣＢ：Ｆｌｅｘｉｂｌｅ Ｐｒｉｎｔｅｄ Ｃｉｒｃｕｉｔ Ｂｏａｒｄ）であることができ、これはベース部１１０が人体皮膚の屈曲面に沿ってもっとうまく接触し、これにより振動子１２０の振動が人体皮膚にもっとうまく伝達されるようにするためである。
【００３９】
前記構成によって、本発明の電動モジュール１００は互いに異なる極性の電源端子１１１、１１２間の電位差を別の昇圧回路なしに直流モーターのコイルで発生する誘導起電力によって大きくし、よって人体の皮膚にもっと多い電流を流すことができ、イオン泳動法の効果を高める機能をする。
【００４０】
また、人体皮膚に直接接触する電源端子１１１、１１２の昇圧作用が、別の昇圧回路及びバッテリー１７０の電源消耗なしに回転軸のコイルから発生する誘導起電力の電流を使うので、その使用過程でバッテリーの消耗を最少化することができる。
【００４１】
また、皮膚刺激用電動モジュール１００の全体にわたって人体皮膚に振動を伝達することができるので、振動伝達領域は相対的に拡大しながらも昇圧回路の比較的複雑な構成を要しないので、全体積は相対的に減少して携帯性が向上する。
【００４２】
図９及び図１０は本発明の一実施例による皮膚刺激用電動モジュールの駆動部の出力電圧変化の推移を示したグラフである。
【００４３】
図９において、“ａ”区間は直流モーターに電源が印加される区間、“ｂ”区間は直流モーターに電源が印加されない区間を示したもので、この実施例では５（Ｖ）の電圧が直流モーターの入力端に印加され、これにより制御部１５０から５（Ｖ）のパルス信号が駆動スイッチ１４０に印加される。そして、“ｃ”は“ｂ”区間で発生した誘導起電力の電圧を示したもので、同図に示したように、直流モーターに電源が印加されない区間で最大１３（Ｖ）の誘導起電力が発生することを確認することができる。
【００４４】
また、図１０において、図９の“ｂ”区間で最大１３（Ｖ）の誘導起電力が発生することにより、最大１２（ｍＡ）の電流が人体の皮膚に流れることを確認することができる。ここで、誘導起電力及びそれによる電流の人体皮膚に対する作用は非連続的にインパルス（ｉｍｐｕｌｓｅ）形態で印加され、これは人体皮膚に鍼を打つことと類似した作用をし、よって人体皮膚に有用な刺激を与えてマッサージ及び治療効果を提供することができる。
【００４５】
また、図２〜図４に戻り、着用部３００は人体の頭部にマスクを着用することができるようにする用途のものとして、この実施例ではこのような着用部３００がヘアバンド状のものを例としたが、本発明はこれに限定されるものではない。着用部３００は一対のバンドからなり、このような一対のバンドの一端がマスク２００の両側にそれぞれ固定され、各バンドの他端には一対のバンド間の相互結合のためのベルクロテープ３１０が付着される。そして、ベルクロテープ３１０の長さを比較的長くし、ベルクロテープ１３０間の接触部位を多様に調節してバンド型着用部３００の長さを調整することもできる。
【００４６】
前述した図２〜図１０の実施例から分かるように、本発明の顔面マッサージ器は、その電動モジュールが別途の昇圧回路なしに駆動部の慣性回転による誘導起電力を用いて互いに異なる極性の電源端子の間に比較的高い電位差を形成するので、人体の皮膚に多量の電流を流してイオン泳動法の効果を極大化するとともに皮膚刺激及びマッサージ機能を提供することができる。
【００４７】
また、本発明の顔面マッサージ器は、自体電源供給によって個別に駆動する複数の電動モジュールによって別途の外部電源なしにもマスクの電動モジュールを動作させるので、使用者は皮膚刺激及びマッサージ機能を受けることができ、使用上の便利性及び携帯の容易性などが向上する。
【００４８】
また、顔面の特定部分に対してだけイオン泳動法を伴う皮膚刺激及びマッサージ機能を提供するとか、反対に顔面の特定部分を除いた残りの部分に対してだけイオン泳動法を伴う皮膚刺激及びマッサージ機能を提供することができ、使用者が自分の顔面皮膚状態などを考慮してイオン泳動法を伴う皮膚刺激及びマッサージ部位を選択することができる。
【００４９】
一方、図１１は本発明の顔面マッサージ器の電動モジュールの他の構成を示した斜視図である。同図に示したように、電動モジュール４００は、電源接続部材１８０、及び絶縁部材１９０を含んでなる。そして、説明に先立ち、電動モジュール４００の残りの構成は図２〜図１０の実施例による皮膚刺激用電動モジュール１００と同様であるので、これについての詳細な説明は省略するとともに同一図面符号を使う。
【００５０】
バッテリー１７０はベース部１１０に設置され、電源接続部材１８０を介して駆動部１３０及び制御部１５０に電源を提供する。
【００５１】
電源接続部材１８０は、バッテリー１７０の電源端子（図示せず）及びベース部１１０に形成された駆動部１３０の電源端子（図示せず）を電気的に連結する。言い換えれば、駆動部１３０は電源接続部材１８０を介してバッテリー１７０と接続される。また、ベース部１１０の電源端子は制御部１５０に対する電源供給機能を果たすこともでき、これによりベース部１１０には電源端子と駆動部１３０及び制御部１５０を並列で連結する回路パターンが形成される。
【００５２】
絶縁部材１９０はバッテリー１７０の電源端子と電源接続部材１８０間の接触領域に付着される。すなわち、絶縁部材１９０はバッテリー１７０に付着され、バッテリー１７０の電源端子と電源接続部材１８０間の電気的接続を遮断し、このような絶縁部材１９０がバッテリー１７０から分離されるとき、バッテリー１７０の電源端子と電源接続部材１８０間の電気的接続がなされる。ここで、絶縁部材１９０がバッテリー１７０に着脱可能に付着され、絶縁部材１９０の着脱によってバッテリー１７０の電源端子と電源接続部材１８０間の電気的接続を制御して駆動部１３０に対するバッテリー１７０の電源印加を断続することができる。
【００５３】
すなわち、絶縁部材１９０がバッテリー１７０の電源端子とび電源接続部材１８０間のスイッチング動作を行うことができる。この際、皮膚刺激用電動モジュール４００は別途のスイッチ構造を持っていなくても、絶縁部材１９０のスイッチング機能によって使用時にだけバッテリー１７０の電源が消耗されるようにすることができる。言い換えれば、スイッチの省略による皮膚刺激用電動モジュール４００の体積は縮小しながらも、バッテリー１７０は振動子１２０の動作時にだけ消耗されるようにすることができる。
【００５４】
また、この実施例においては、絶縁部材１９０が薄シート状に形成されてバッテリー１７０に電源端子を遮るように着脱可能に付着される形態を例としたが、本発明がこれに限定されるものではなく、絶縁部材１９０はバッテリー１７０の電源端子領域に着脱されてバッテリー１７０の電源端子と電源接続部材１８０間の電源印加を断続することができる条件下で多様に変形実施することができる。そして、絶縁部材１９０は図面に詳細に示していないが、マスク２００の外部に露出される延長部を備え、延長部を介して使用者が絶縁部材１９０を操作することができるようにする。
【００５５】
以上で説明したものは本発明による顔面マッサージ器を実施するための一実施例に過ぎないもので、本発明は前述した実施例に限定されなく、以下の請求範囲で請求するような本発明の要旨を逸脱することなしに、本発明が属する当該分野で通常の知識を持った者であれば誰でも多様な変更実施が可能な範囲まで本発明の技術的精神があると言える。
【符号の説明】
【００５６】
１００、４００    皮膚刺激用電動モジュール
１１０    ベース部
１１１    （＋）電源端子
１１２    （−）電源端子
１２０    振動子
１３０    駆動部
１３１    電源供給処理部
１４０    駆動スイッチ
１５０    制御部
１６０    誘導起電力処理部
１７０    バッテリー
１８０    電源接続部材
１９０    絶縁部材
２００    マスク
２１０    第１マスク
２２０    第２マスク
２２０ａ    端子露出孔
３００    着用部
３１０    ベルクロテープ
【図１】
0005696258.tif 000002
【図２】
0005696258.tif 000003
【図３】
0005696258.tif 000004
【図４】
0005696258.tif 000005
【図５】
0005696258.tif 000006
【図６】
0005696258.tif 000007
【図７】
0005696258.tif 000008
【図８】
0005696258.tif 000009
【図９】
0005696258.tif 000010
【図１０】
0005696258.tif 000011
【図１１】
0005696258.tif 000012